(57)【要約】【課題】２個のスピーカを用いて正中面方向への定位を行う場合、両耳間の特性差が減少するために前後方向の誤判定を引き起こしやすい。これを簡易な方法で、音質や音場感を大きく変化することなく、より正中面に近い後ろ方向の音像の定位品質を向上させることを目的とする。【解決手段】信号入力部１から入力した、正中面方向へ定位させる信号を、高域通過フィルター２と低域通過フィルター３で分割し、高域成分を仮想音源ＢLに定位させるための第１の定位効果処理部４で処理して右スピーカ用の信号と左スピーカ用の信号を生成し、低域成分を仮想音源Ｂ’Lに定位させるための第２の定位効果処理部５で処理して右スピーカ用の信号と左スピーカ用の信号を生成し、これらの信号を加算器６，７で左右スピーカ毎に加算して、左チャンネル用のスピーカ１１と右チャンネル用のスピーカ１２に供給する。【選択図】図１
2010098635.tif 000002
【特許請求の範囲】
【請求項１】
正中面に近い方向へ音像定位させるべき第１の入力信号を入力する第１の信号入力部と、
前記第１の信号入力部に入力された前記第１の入力信号の高域成分を通過させる高域通過フィルターと、
前記第１の信号入力部に入力された前記第１の入力信号の低域成分を通過させる低域通過フィルターと、
前記高域通過フィルターの出力信号を、接続するスピーカの個数に従って分配し、その音響出力によって前記正中面に近い第１の方向に音像定位させる信号処理を行い、各々のスピーカ用信号を生成する第１の定位効果処理部と、
前記低域通過フィルターの出力信号を、接続するスピーカの個数に従って分配し、その音響出力によって前記第１の方向に対し正中面からより離れる第２の方向に音像定位させる信号処理を行い、各々のスピーカ用信号を生成する第２の定位効果処理部と、
前記第１の定位効果処理部で生成した各々のスピーカ用信号と前記第２の定位効果処理部で生成した各々のスピーカ用信号とを各スピーカ毎に加算して出力する加算器とを備えた音像定位処理装置。
【請求項２】
さらに、前記第２の方向に対し正中面からより離れる第３の方向に音像定位させるべき第３の入力信号を入力する第３の信号入力部と、
前記第３の信号入力部へ入力された前記第３の入力信号を、接続するスピーカの個数に従って分配し、その音響出力によって前記第３の方向に音像定位させる信号処理を行って各々のスピーカ用信号を生成し、さらに、この各々のスピーカ用信号を各スピーカ毎に前記加算器へ出力する第３の定位効果処理部とを備えた請求項１に記載の音像定位処理装置。
【請求項３】
さらに、前記第２の方向に音像定位させるべき第２の入力信号を入力する第２の信号入力部と、
前記低域通過フィルターの出力と前記第２の信号入力部へ入力された前記第２の入力信号とを加算して前記第２の定位効果処理部へ出力する第３の加算器とを備えた請求項１に記載の音像定位処理装置。
【請求項４】
正中面に近い方向へ音像定位させるべき第１の入力信号を入力する第１の入力ステップと、
前記第１の入力信号の高域成分を通過させる高域通過ステップと、
前記第１の入力信号の低域成分を通過させる低域通過ステップと、
前記高域成分を、接続するスピーカの個数に従って分配し、その音響出力によって前記正中面に近い第１の方向に音像定位させる信号処理を行い、各々のスピーカ用信号を生成する第１の定位効果処理ステップと、
前記低域成分を、前記各々のスピーカで前記第１の方向に対し正中面からより離れる第２の方向に音像定位させる信号処理を行い、各々のスピーカ用信号を生成する第２の定位効果処理ステップと、
前記第１の定位効果処理ステップと前記第２の定位効果処理ステップとで生成した前記各々のスピーカ用信号を各スピーカ毎に加算して出力する加算ステップを有する音像定位処理方法。
【請求項５】
さらに、前記第２の方向に対し正中面からより離れる第３の方向に音像定位させるべき第３の入力信号を入力する第３の信号入力ステップと、
前記第３の入力信号を、接続するスピーカの個数に従って分配し、その音響出力によって前記第３の方向に音像定位させる信号処理を行い、各々のスピーカ用信号を生成する第３の定位効果処理ステップを備え、
前記加算ステップにおいて、前記第１の定位効果ステップと前記第２の定位効果ステップと前記第３の定位効果ステップとで生成した前記各々のスピーカ用信号を各スピーカ毎に加算することを特徴とする請求項４に記載の音像定位処理方法。
【請求項６】
さらに、前記第２の方向に音像定位させるべき第２の入力信号を入力する第２の信号入力ステップと、
前記低域成分と前記第２の入力信号とを加算する第３の加算ステップを有し、
前記第２の定位効果処理ステップにおいて、前記第３の加算ステップで加算した信号を信号処理することを特徴とする請求項４に記載の音像定位処理方法。
【発明の詳細な説明】
【技術分野】
【０００１】
本発明は、後方の正中面に近い方向への音像定位品質を向上させるための音像定位処理装置及び、音像定位処理方法に関するものである。
【背景技術】
【０００２】
近年、ブルーレイディスクの普及に伴い、７．１チャンネルの音声信号を、テレビ受像機等の２チャンネルのスピーカで再生する場合の音像定位品質の向上が求められている。
【０００３】
一般に音像定位処理による音像定位品質は、目標とする定位方向に依存して変化するもので、特に正中面方向への定位処理は、両耳間の特性差が減少するために前後方向の誤判定を引き起こすなど、他の方向と比べて困難であることが知られている。
【０００４】
そこで特許文献１で示される技術では、斜め方向からの間接音を主音に付加して再生することによって、正中面方向の定位品質を向上させることを狙っている。
【０００５】
図５は、特許文献１に示された技術の構成を示すブロック図である。
【０００６】
図５において、１０１は信号入力部、１０２は減衰器、１０３は遅延器、１０４は第１の定位効果処理部、１０５は第２の定位効果処理部、１０６，１０７は加算器、１０８は左チャンネルのスピーカ、１０９は右チャンネルのスピーカ、１１０は受聴者、ＢL，ＳLは仮想音源である。
【０００７】
信号入力部１０１から入力された信号は２分配され、そのうちの１つは主音として、仮想音源ＢLに定位するような音像定位処理が第１の定位効果処理部１０４で施される。
【０００８】
また２分配されたもう１つの信号成分は、主音に対する反射音や残響音成分となるように減衰器１０２及び遅延器１０３で処理された後、仮想音源ＢLとは異なる方向の仮想音源ＳLに定位するような音像定位処理が第２の定位効果処理部１０５で施される。
【０００９】
以上の処理を経て、第１の定位効果処理部１０４と第２の定位効果処理部１０５から出力される信号を、加算器１０６と加算器１０７で加算して、左チャンネルのスピーカ１０８と右チャンネルのスピーカ１０９に出力し、主音方向への音像定位効果を実現しようとするものである。
【特許文献１】特開平７−２１２８９７号公報
【発明の開示】
【発明が解決しようとする課題】
【００１０】
しかし、特許文献１に示された技術では、本来の入力信号成分である主音の定位改善に関しては何の対策も成されていない。更に入力信号成分には存在しない間接音や残響音成分を新たに付加するので、定位品質が改善される反面、音質や音場感に変化が生じることは避けられない。
【００１１】
そこで本発明は、入力信号を、高周波数帯域と低周波数帯域に分割し、それぞれの出力信号毎に異なる方向への音像定位処理を行い、かつ低周波数帯域の出力信号に対する音像定位処理は、高周波数帯域の出力信号に対する定位処理よりも正中面から遠い方向への音像定位処理とすることによって、後方の正中面に近い方向への音像定位品質を向上できる音像定位処理装置及び、音像定位処理方法を提供することを目的としている。
【課題を解決するための手段】
【００１２】
上記目的を達成するために本発明の音像定位処理装置は、正中面に近い方向へ音像定位させるべき第１の入力信号を入力する第１の信号入力部と、前記第１の信号入力部に入力された前記第１の入力信号の高域成分を通過させる高域通過フィルターと、前記第１の信号入力部に入力された前記第１の入力信号の低域成分を通過させる低域通過フィルターと、前記高域通過フィルターの出力信号を、接続するスピーカの個数に従って分配し、その音響出力によって前記正中面に近い第１の方向に音像定位させる信号処理を行い、各々のスピーカ用信号を生成する第１の定位効果処理部と、前記低域通過フィルターの出力信号を、接続するスピーカの個数に従って分配し、その音響出力によって前記第１の方向に対し正中面からより離れる第２の方向に音像定位させる信号処理を行い、各々のスピーカ用信号を生成する第２の定位効果処理部と、前記第１の定位効果処理部で生成した各々のスピーカ用信号と前記第２の定位効果処理部で生成した各々のスピーカ用信号を各スピーカ毎に加算して出力する加算器とを備えたものである。
【００１３】
また、さらに、前記第２の方向に対し正中面からより離れる第３の方向に音像定位させるべき第３の入力信号を入力する第３の信号入力部と、前記第３の信号入力部へ入力された前記第３の入力信号を、接続するスピーカの個数に従って分配し、その音響出力によって前記第３の方向に音像定位させる信号処理を行い、各々のスピーカ用信号を各スピーカ毎に加算器へ出力する第３の定位効果処理部とを備えたものである。
【００１４】
また、さらに、前記第２の方向に音像定位させるべき第２の入力信号を入力する第２の信号入力部と、前記低域通過フィルターの出力と前記第２の信号入力部へ入力された前記第２の入力信号とを加算して前記第２の定位効果処理部へ出力する第３の加算器とを備えたものである。
【発明の効果】
【００１５】
本発明の音像定位処理装置及び、音像定位処理方法によれば、より正中面に近い後ろ方向の定位品質の向上が求められる音像定位処理において、簡易な方式で、かつ音質や音場感を大きく変化することなく、音像の定位品質を向上させることができる。
【発明を実施するための最良の形態】
【００１６】
以下本発明を実施するための最良の形態について、図面を参照しながら説明する。
【００１７】
（実施の形態１）
まず、本発明の実施の形態１における音像定位処理装置について説明する。
【００１８】
最初に図２を参照しながら、正中面方向への音像定位に関する聴覚的な特性について説明する。
【００１９】
前述の通り、音源が正中面方向に存在する場合は、両耳間の特性差が減少するために前後方向の誤判定を引き起こすなど、他の方向と比べて音像を正確に定位させることが困難であることが一般に知られている。
【００２０】
このように両耳間の特性差が少ない正中面における音像定位の方向知覚を決定する要因として、音源位置と両耳位置間の伝達関数の周波数特性がある。
【００２１】
図２は、正中面内の前方から後方までの各角度毎の音源位置と耳位置間の伝達関数の周波数特性を示すものである。
【００２２】
ここで、図２によれば、凡そ５ｋＨｚ以上の周波数帯域に特徴的な特性が現れていることが読み取れる。そこで、正中面方向の音像定位処理を行うためには、この５ｋＨｚ以上の周波数帯域の制御が必須であることが考えられる。
【００２３】
一方、この５ｋＨｚ以下の周波数帯域の特性には顕著な特徴が現れていないので、周波数特性による定位方向の弁別限は比較的大きいと考えられる。
【００２４】
以上の考察より、正中面方向への音像定位処理においては、入力信号の周波数帯域を分割し、高周波数帯域については、目標とする正中面方向への定位処理を行い、低周波数帯域については、目標とする正中面方向から少し離れた方向で、より両耳間差特性が大きくなる方向への定位処理を行うことで、両耳間の時間差レベル差を有効に活用する手法が考えられることになる。
【００２５】
前述の考察より本実施の形態においては、入力信号を周波数帯域分割し、それぞれに対して異なる方向への定位処理を行うことにより、正中面に近い方向にある仮想音源に音像が定位するように知覚させるものである。
【００２６】
図１は本発明の音像定位処理装置の構成を示すブロック図である。  図１において、１は正中面後方に定位させるべき信号を入力するための信号入力部、２は高域通過フィルター、３は低域通過フィルター、４は第１の定位効果処理部、４１，４２は第１の定位効果処理部４を構成するコンボルバ、５は第２の定位効果処理部、５１，５２は第２の定位効果処理部５を構成するコンボルバ、１１は左チャンネルのスピーカ、１２は右チャンネルのスピーカ、１３は受聴者、ＢL，Ｂ’Lは仮想音源である。
【００２７】
以下、本発明の実施の形態１における音像定位処理装置の動作について説明する。
【００２８】
まず、入力信号の高域成分を高域通過フィルター２によって取り出し、それを第１の定位効果処理部４において、正中面に近い方向にある仮想音源ＢLへの音像定位処理を行う。
【００２９】
左チャンネルのスピーカ１１から受聴者１３の左耳および右耳への伝達関数を夫々ＧLLおよびＧLR、右チャンネルのスピーカ１２から受聴者１３の左耳および右耳への伝達関数を夫々ＧRLおよびＧRR、仮想音源ＢLから受聴者１３の左耳および右耳への伝達関数を夫々ＢLLおよびＢLRとすると、この第１の定位効果処理部４における信号処理は、
ＢLL＝ＨBLL＊ＧLL＋ＨBLR＊ＧRL
ＢLR＝ＨBLL＊ＧLR＋ＨBLR＊ＧRR
で現される式を満足するコンボルバ４１の伝達関数ＨBLLとコンボルバ４２の伝達関数ＨBLRを畳み込む処理を行うものである。
【００３０】
また同様にして、入力信号の低域成分を低域通過フィルター３によって取り出し、それを第２の定位効果処理部５において、正中面から離れた方向にある仮想音源Ｂ’Lへの音像定位処理を行う。
【００３１】
仮想音源Ｂ’Lから受聴者１３の左耳および右耳への伝達関数を夫々Ｂ’LLおよびＢ’LRとすると、この第２の定位効果処理部５における信号処理は、
Ｂ’LL＝ＨB'LL＊ＧLL＋ＨB'LR＊ＧRL
Ｂ’LR＝ＨB'LL＊ＧLR＋ＨB'LR＊ＧRR
で現される式を満足するコンボルバ５１の伝達関数ＨB'LLとコンボルバ５２の伝達関数ＨB'LRを畳み込む処理を行うものである。
【００３２】
以上の処理を経て、第１の定位効果処理部４のコンボルバ４１から出力される信号と第２の定位効果処理部５のコンボルバ５１から出力される信号とを加算器６で加算して、スピーカ１１に出力し、第１の定位効果処理部４のコンボルバ４２から出力される信号と第２の定位効果処理部５のコンボルバ５２から出力される信号とを加算器７で加算して、スピーカ１２に出力するものである。
【００３３】
なお、図１では、仮想音源ＢLおよびＢ’Lを、正中面から左寄りに設定しているが、右寄りに設定してもよい。
【００３４】
また、本発明において、より仮想音源ＢL方向への定位感を強調させる目的で、低域通過フィルター３と第２の定位効果処理部５の間に一般的な減衰器もしくは遅延器を挿入する構成であっても良いものとする。
【００３５】
また、図１でのスピーカの数は２つであるが、使用するスピーカの数を増やして、その数に応じて第１の定位効果処理部４及び第２の定位効果処理部５内のコンボルバを設ける構成によって、受聴者１３とは異なる位置でも同様の音像定位処理効果が得られるようにしても良い。
【００３６】
（実施の形態２）
図３に本発明の実施の形態２における音像定位処理装置の構成を示す。図３においては、信号入力部１へ７．１チャンネルサラウンド音声のＢLチャンネル信号を入力する。８は７．１チャンネルサラウンド音声のＳLチャンネル信号を入力する信号入力部、９はＳLチャンネル信号を側方へ音像定位させるための第３の定位効果処理部、９１，９２は第３の定位効果処理部９を構成するコンボルバである。
【００３７】
そして、加算器６では、コンボルバ４１と５１の出力信号に加えてコンボルバ９１の出力信号も加算し、加算器７では、コンボルバ４２と５２の出力信号に加えてコンボルバ９２の出力信号も加算する。
【００３８】
（実施の形態３）
図４に本発明の実施の形態３における音像定位処理装置の構成を示す。図４において、１０は低域通過フィルター３の出力信号と、信号入力部８から入力されるＳLチャンネル信号とを加算する加算器である。
【００３９】
本実施の形態における音像定位処理装置は、実施の形態２に対して、低域通過フィルター３の出力信号をＳLチャンネル信号に加算することにより、第２の定位効果処理部を第３の定位効果処理部で代用させたものであり、実施の形態２と比較して、第２の定位効果処理部が省略できるため構成が簡単になるという利点がある。ただし、実施の形態２は、本実施の形態と比較して、仮想音源Ｂ’ Lの位置を、ＳLチャンネル信号の仮想音源位置とは関係なく最適な位置に設定することができるという利点がある。
【００４０】
以上の実施の形態２および実施の形態３では、左チャンネルのサラウンド信号ＢL，ＳLを入力する場合について説明したが、右チャンネルのサラウンド信号ＢR，ＳRを入力する場合についても同様である。
【産業上の利用可能性】
【００４１】
本発明にかかる音像定位処理装置は、より正中面に近い後ろ方向の定位品質の向上が求められる音像定位処理において、簡易な方式で、かつ音質や音場感を大きく変化することなく、音像の定位品質を向上させることが可能となるものとして有用である。
【図面の簡単な説明】
【００４２】
【図１】本発明の実施の形態１における音像定位処理装置の構成を示すブロック図
【図２】正中面内の音源位置と耳位置間の伝達関数の周波数特性図
【図３】本発明の実施の形態２における音像定位処理装置の構成を示すブロック図
【図４】本発明の実施の形態３における音像位処理装置の構成を示すブロック図
【図５】従来技術の音像定位処理装置の構成を示すブロック図
【符号の説明】
【００４３】
１  信号入力部
２  高域通過フィルター
３  低域通過フィルター
４  第１の定位効果処理部
５  第２の定位効果処理部
６，７  加算器
８  信号入力部
９  第３の定位効果処理部
１０  加算器
１１，１２  スピーカ
１３  受聴者
４１，４２  コンボルバ
５１，５２  コンボルバ
９１，９２  コンボルバ
ＢL，Ｂ’L  仮想音源
【図２】
2010098635.tif 000003
【図１】
2010098635.tif 000004
【図３】
2010098635.tif 000005
【図４】
2010098635.tif 000006
【図５】
2010098635.tif 000007